(57)【要約】【課題】利便性を向上させた容器を提供すること。【解決手段】内容物を収容する容器本体２と、容器本体２の口部３に弱化部４を介して一体的に形成され、容器本体２を密封する栓体５と、容器本体２の口部３に取り外し可能に装着された中栓体３１と、容器本体２内の内容物を注出する注出孔６１Ａが形成され、中栓体３１に、容器本体２の容器軸Ｏ方向に移動可能に配設された注出部材３２と、容器本体２、中栓体３１または注出部材３２に装着される有頂筒状のオーバーキャップ７と、を備え、オーバーキャップ７の天壁部７１には、栓体５を保持可能であり、オーバーキャップ７のキャップ軸方向に延在する保持凹部７７が形成されている。【選択図】図１
2020033092.tif 000002
【特許請求の範囲】
【請求項１】
内容物を収容する容器本体と、
前記容器本体の口部に弱化部を介して一体的に形成され、前記容器本体を密封する栓体と、
前記容器本体の口部に取り外し可能に装着された中栓体と、
前記容器本体内の内容物を注出する注出孔が形成され、前記中栓体に、前記容器本体の容器軸方向に移動可能に配設された注出部材と、
前記容器本体、前記中栓体または前記注出部材に装着される有頂筒状のオーバーキャップと、
を備え、
前記オーバーキャップの天壁部には、前記栓体を保持可能であり、当該オーバーキャップのキャップ軸方向に延在する保持凹部が形成されていることを特徴とする容器。
【請求項２】
前記保持凹部が、前記オーバーキャップの天壁部を前記キャップ軸方向に貫通する貫通孔であることを特徴とする請求項１に記載の容器。
【請求項３】
前記容器本体が、チューブ容器であることを特徴とする請求項１または２に記載の容器。
【発明の詳細な説明】
【技術分野】
【０００１】
本発明は、容器に関する。
【背景技術】
【０００２】
内容物を収容する容器本体と、容器本体の口部に弱化部を介して一体的に形成され、容器本体を密封する栓体と、口部及び栓体を囲繞する有頂筒状のオーバーキャップと、を備える容器が提案されている（例えば、特許文献１参照）。このような容器では、弱化部を破断して栓体を容器本体から分離することによって、容器本体を開栓している。
【先行技術文献】
【特許文献】
【０００３】
【特許文献１】特開２０１０−０２９５９８号公報
【発明の概要】
【発明が解決しようとする課題】
【０００４】
しかしながら、上記従来の容器においても、開栓時に容器本体から分離した栓体を処分する手間があった。
【０００５】
そこで、本発明は、利便性を向上させた容器を提供することを提案する。
【課題を解決するための手段】
【０００６】
本発明は、上記課題を解決するために以下のような手段を採用した。すなわち、本発明の容器は、内容物を収容する容器本体と、前記容器本体の口部に弱化部を介して一体的に形成され、前記容器本体を密封する栓体と、前記容器本体の口部に取り外し可能に装着された中栓体と、前記容器本体内の内容物を注出する注出孔が形成され、前記中栓体に、前記容器本体の容器軸方向に移動可能に配設された注出部材と、前記容器本体、前記中栓体または前記注出部材に装着される有頂筒状のオーバーキャップと、を備え、前記オーバーキャップの天壁部には、前記栓体を保持可能であり、当該オーバーキャップのキャップ軸方向に延在する保持凹部が形成されていることを特徴とする。
【０００７】
この発明では、オーバーキャップの天壁部に形成された保持凹部に栓体を係止させた状態で栓体を容器本体から分離させ、分離した栓体をオーバーキャップが保持するので、分離した栓体を処分する手間がなくなり、容器の利便性が向上する。
また、保持凹部がオーバーキャップのキャップ軸方向に延在しているので、例えば成形金型を用いてオーバーキャップを射出成形する際に、型抜き方向が複数になるなど金型構造が複雑になることなく保持凹部が形成されたオーバーキャップを製造することができる。
【０００８】
また、本発明の容器では、前記保持凹部が、前記オーバーキャップの天壁部を前記キャップ軸方向に貫通する貫通孔であってもよい。
この発明では、保持凹部が貫通孔であり、非貫通の保持凹部を天壁部に形成する場合と比較して、保持凹部の底壁の厚さ分だけ容器の全高を抑制できる。なお、保持凹部が貫通孔であっても、保持凹部内に保持された栓体によって容器本体内の内容物が保持凹部を通して外部に漏出することを抑制できる。
また、オーバーキャップの天壁部の外面に保持凹部があるので、保持凹部を外部から容易に視認でき、かつ、栓体を保持凹部内に差し込んだ状態でオーバーキャップを保持しやすいので、栓体を容器本体から分離させる操作が容易になる。
【０００９】
また、本発明の容器では、前記容器本体が、チューブ容器であってもよい。
この発明では、自立しにくいチューブ状の容器本体であっても、オーバーキャップが下になるように倒立させた状態で陳列したり保管したりすることができる。
【発明の効果】
【００１０】
この発明にかかる容器によれば、オーバーキャップに形成された保持凹部が容器本体から分離した栓体を保持するので、栓体を処分する手間を排除して容器の利便性が向上する。また、保持凹部がオーバーキャップの天壁部においてキャップ軸方向に延在しているので、オーバーキャップの製造が複雑化することを抑制できる。
【図面の簡単な説明】
【００１１】
【図１】本発明の一実施形態にかかる容器を示す軸方向断面図である。
【図２】図１の容器本体及び栓体を示す上面図である。
【図３】図１の容器を示す上面図である。
【図４】図１の容器の使用方法を示す軸方向断面図である。
【図５】同じく、図１の容器の使用方法を示す軸方向断面図である。
【図６】同じく、図１の容器の使用方法を示す軸方向断面図である。
【図７】同じく、図１の容器の使用方法を示す軸方向断面図である。
【図８】同じく、図１の容器の使用方法を示す軸方向断面図である。
【図９】同じく、図１の容器の使用方法を示す軸方向断面図である。
【図１０】本発明を適用可能な他の実施形態にかかる容器を示す軸方向断面図である。
【図１１】図１０の容器を示す上面図である。
【図１２】図１０の容器の使用方法を示す軸方向断面図である。
【発明を実施するための形態】
【００１２】
以下、本発明による容器の一実施形態を、図面に基づいて説明する。
本実施形態にかかる容器１は、図１に示すように、内容物を収容するチューブ状の容器本体２と、容器本体２の円筒状の口部３に弱化部４を介して一体的に形成された有頂円筒状の栓体５と、容器本体２の口部３に装着された塗布具６と、容器本体２の口部３及び塗布具６を囲繞する有頂円筒状のオーバーキャップ７と、を備える。
【００１３】
これら容器本体２の口部３、栓体５及びオーバーキャップ７は、それらの中心軸線が共通軸上に位置する状態で配設されている。以下、この中心軸線を容器軸（キャップ軸）Ｏと称し、図１に示すように、容器軸Ｏに沿って容器本体２の底部から口部３に向かう方向を上方、その逆方向を下方とする。また、容器軸Ｏから見た平面視で容器軸Ｏに交差する方向を径方向、容器軸Ｏ回りに周回する方向を周方向とする。
【００１４】
容器本体２は、図１から図３に示すように、下端開口部が径方向に挟み込まれて閉塞された楕円筒状の胴部１１と、胴部１１の上端開口縁から径方向内側に向けて連設された平面視楕円状の肩部１２と、肩部１２の開口縁から上方に向けて連設された円筒状の口部３と、を備える。これら胴部１１、肩部１２及び口部３は、容器軸Ｏと同軸に配設されている。容器本体２内に収容される内容物は、例えば粘性を有するジェル状の内容物であるが、内容物は、これに限定されない。
【００１５】
胴部１１は、横断面視で楕円状とされている。
口部３は、肩部１２の上端開口縁に連設された円筒状の下側筒部１３と、下側筒部１３の上端開口縁から径方向内側に向けて連設された多段筒状の上側筒部１４と、を有する。
下側筒部１３の外周面には、塗布具６が螺着される二条ネジである第１ネジ部１３Ａが形成されている。
上側筒部１４は、下側筒部１３の上端縁から径方向内側に向けて連設された円環状の第１内鍔部１４Ａと、第１内鍔部１４Ａの内周縁から上方に向けて連設された第１円筒状部１４Ｂと、第１円筒状部１４Ｂの上端縁から径方向内側に向けて連設された円環状の第２内鍔部１４Ｃと、第２内鍔部１４Ｃの内周縁から上方に向けて連設された第２円筒状部１４Ｄと、を有する。第１内鍔部１４Ａは、径方向内側に向かうにしたがって上方に向かうように傾斜している。
【００１６】
栓体５は、上側筒部１４の上端開口縁に弱化部４を介して容器本体２と一体的に形成されている。栓体５は、平面視で円形状の頂板部２１と、頂板部２１の外周縁から下方に向けて延設された円筒状の側筒部２２と、を有する。側筒部２２は、容器軸Ｏと同軸に配設されている。
頂板部２１の上面には、平面視で十字状をなす第１係止突部２１Ａが上方に向けて突設されている。
側筒部２２の外周面には、第１保持突部２２Ａが全周にわたって連続または間欠に形成されている。側筒部２２の下端縁は、弱化部４を介して口部３の上端縁に連設されている。弱化部４は、口部３を径方向外側から薄肉とすることによって形成されている。
【００１７】
塗布具６は、図１及び図３に示すように、容器本体２の口部３に装着された中栓体３１と、中栓体３１に取り付けられた有頂円筒状の塗布体（注出部材）３２と、を備える。この塗布体３２は、容器軸Ｏと同軸に配設されている。
中栓体３１は、平面視で円環状の底板部４１と、底板部４１の外周縁から上下方向に延在する円筒状の外筒部４２と、外筒部４２よりも径方向内側において底板部４１から下方に延設された円筒状の装着筒部４３と、底板部４１の内周縁から上方に延設された円筒状の案内筒部４４と、案内筒部４４の径方向内側に配設された円柱状の栓部４５と、を備える。これら外筒部４２、装着筒部４３、案内筒部４４及び栓部４５は、容器軸Ｏと同軸に配設されている。
【００１８】
底板部４１の下面には、下方に向けて延在し、口部３の第１円筒状部１４Ｂに外嵌される円筒状の嵌合筒部４１Ａが形成されている。
外筒部４２のうち底板部４１よりも上側の部分は、容器軸Ｏに沿って上下方向に延在している。また、外筒部４２のうち底板部４１よりも下側の部分は、下方に向かうにしたがって径方向外側に向かうように傾斜する円錐台筒状の傾斜筒部４６と、傾斜筒部４６の下端から下方に向けて連設された円筒状の取付筒部４７と、を有する。
取付筒部４７の下側部分の内径及び外径は、取付筒部４７の上側部分の内径及び外径よりも拡径されており、取付筒部４７の下側部分の外周面は、肩部１２の外周縁よりも径方向内側に位置している。また、取付筒部４７の下側部分における外周面には、複数の滑止突部４７Ａ（図６参照）が周方向に複数形成されている。
装着筒部４３の内周面には、口部３の第１ネジ部１３Ａと螺合する第２ネジ部４３Ａが形成されている。
【００１９】
案内筒部４４の上下方向の中間部分における外周面には、上下方向に延在し、径方向内側に向けて窪む第１案内凹部４４Ａが形成されている。また、案内筒部４４の上端部の外径は、この上端部よりも下側の部分における外径よりも小径とされている。そして、案内筒部４４の第１案内凹部４４Ａの上端部における外周面には、径方向外側に向けて突出する第１規制突部４４Ｂが形成されている。
さらに、案内筒部４４の内周面には、上下方向に延在し、上端から案内筒部４４の上下方向の中間部分に至る回止溝部４４Ｃが周方向に間隔をあけて複数形成されている。また、案内筒部４４の内周面のうち回止溝部４４Ｃよりも下側の部分は、径方向内側に向けて若干突出しており、この下側の部分には、栓部４５の下端部に接続される接続部４８が周方向に間隔をあけて複数形成されている。
【００２０】
栓部４５の下端部の外径は、この下端部よりも上側の部分の外径よりも大径とされており、栓部４５の下端部には、下方に開口する中央凹部４５Ａが形成されている。栓部４５の上端部は、外筒部４２及び案内筒部４４の上端よりも上方に突出している。また、栓部４５は、栓体５よりも上方に位置しており、案内筒部４４の下側部分及び接続部４８と共に栓体５を径方向及び上方から囲んでいる。
【００２１】
塗布体３２は、平面視で円形状の頂壁部６１と、頂壁部６１の外周縁から下方に向けて延設された円筒状の周筒部６２と、周筒部６２よりも径方向内側において頂壁部６１から下方に向けて延設された円筒状の被案内筒部６３と、被案内筒部６３よりも径方向内側において頂壁部６１から下方に向けて延設された円筒状の内筒部６４と、を有する。これら周筒部６２、被案内筒部６３及び内筒部６４は、容器軸Ｏと同軸に配設されている。
【００２２】
頂壁部６１は、中央部が上方に向けて凸となるように、径方向外側に向かうにしたがって下方に向かうように傾斜している。また、頂壁部６１の中央部には、上下方向に貫通する貫通孔である注出孔６１Ａが形成されており、頂壁部６１には、注出孔６１Ａに隣接し、上方に向けて突出する平面視で円環状の注出突部６１Ｂが形成されている。また、注出孔６１Ａには、栓部４５の上端部が嵌め込まれている。さらに、頂壁部６１の上面には、内容物を塗り広げるための複数の塗布突部６１Ｃが上方に向けて突設されている。
【００２３】
周筒部６２は、外筒部４２よりも径方向外側に配設されており、周筒部６２の内周面には、上下方向に延在し、外筒部４２の上端部における外周面に近接または摺接する補強リブ部６２Ａが周方向に間隔をあけて複数形成されている。
被案内筒部６３は、径方向で外筒部４２と案内筒部４４との間に配設されており、被案内筒部６３の下側部分における内周面には、径方向外側に向けて窪み、第１規制突部４４Ｂを上下方向に移動可能とする第２案内凹部６３Ａが形成されている。そして、被案内筒部６３の第２案内凹部６３Ａの下端部における内周面には、径方向内側に向けて突出し、第１規制突部４４Ｂに対して下方から係止可能な第２規制突部６３Ｂが形成されている。第２規制突部６３Ｂは、第１案内凹部４４Ａ内を上下方向に移動可能である。
【００２４】
内筒部６４は、案内筒部４４と栓部４５との間に配設されている。内筒部６４の外周面には、上下方向に延在し、回止溝部４４Ｃに収容される回止リブ部６４Ａが周方向に間隔をあけて複数形成されている。これにより、回止リブ部６４Ａは、回止溝部４４Ｃと周方向で係止し、塗布体３２が中栓体３１に対して容器軸Ｏ回りに回転することを規制する。また、内筒部６４の下端部は、案内筒部４４の下側部分の内周面と栓部４５の下端部の外周面との間に嵌め込まれており、接続部４８に当接または近接している。
【００２５】
オーバーキャップ７は、平面視で円環状の天壁部７１と、天壁部７１の外周縁から下方に向けて延設された円筒状の側壁部７２と、を有する。
天壁部７１の中央部には、栓体５を保持する保持部７３が設けられている。保持部７３は、天壁部７１の内周縁から下方に向けて延在する円筒状の陥没筒部７４と、陥没筒部７４の下端から径方向内側に向けて突出する平面視で円環状の環状接続部７５と、環状接続部７５の内周縁から上方に向けて延設された円筒状の保持筒部７６と、を有する。これら陥没筒部７４、環状接続部７５及び保持筒部７６は、容器軸Ｏと同軸に配設されている。
【００２６】
保持筒部７６の上下方向の長さは、栓体５の上下方向の長さと同等となっており、保持筒部７６の内径は、栓体５の外径と同等となっている。また、保持筒部７６の上端の上下方向の位置は、天壁部７１の上面と同等となっている。さらに、保持筒部７６の下端部には、径方向内側に向けて突出し、第１係止突部２１Ａと周方向で係止する第２係止突部７６Ａが周方向に間隔をあけて複数（本実施形態では４つ）形成されている。第２係止突部７６Ａは、平面視で十字状をなす第１係止突部２１Ａに対応する平面視で十字状をなす孔部を画成する。
また、保持筒部７６の上端部における内周面には、径方向内側に向けて突出し、栓体５の第１保持突部２２Ａと係止可能な第２保持突部７６Ｂが全周にわたって連続または間欠に形成されている。
この保持筒部７６によって、上下方向の貫通孔である保持凹部７７が画成されている。
側壁部７２の下端部は、取付筒部４７の上側部分に外嵌されている。また、側壁部７２の下端部は、取付筒部４７の下側部分の上端面に当接または近接している。
【００２７】
次に、以上のような構成の容器１の使用方法を説明する。
まず、塗布具６を容器本体２から取り外して栓体５を露出させる。ここで、塗布具６は、オーバーキャップ７を塗布具６から取り外した後に容器本体２から取り外されてもよく、オーバーキャップ７と一体的に容器本体２から取り外されてもよい。
【００２８】
栓体５を露出させた後、図４に示すように、栓体５をオーバーキャップ７の保持筒部７６内に上方から差し込む。栓体５を差し込むと、栓体５の第１係止突部２１Ａが保持筒部７６の第２係止突部７６Ａと周方向で係止されると共に、栓体５の第１保持突部２２Ａが保持筒部７６の第２保持突部７６Ｂに対して上下方向で係止される。そのため、栓体５が保持筒部７６から離脱することが抑制される。
また、保持筒部７６の下端が開口しているので、栓体５を保持筒部７６内に差し込んだ際に、保持筒部７６内の空気は、保持筒部７６の下端開口を通して排出される。これにより、保持筒部７６への栓体５の差込動作が安定する。
なお、オーバーキャップ７の天壁部７１に保持凹部７７が形成されているので、外部から容易に保持凹部７７を視認できる。
【００２９】
栓体５を保持筒部７６内に差し込んだ後、図５に示すように、容器本体２をオーバーキャップ７に対して相対的に周方向に回転させる。これにより、栓体５と容器本体２の口部３とを接続している弱化部４が破断され、容器本体２が開封される。容器本体２から分離された栓体５は、保持筒部７６内で保持される。容器本体２を開封した後、塗布具６を容器本体２の口部３に螺着する。ここで、オーバーキャップ７の天壁部７１に保持凹部７７が形成されており、栓体５を保持筒部７６内に差し込んだ状態でオーバーキャップ７の側壁部７２を保持しやすいので、栓体５を容器本体２から分離させる操作がしやすくなっている。
【００３０】
塗布具６を容器本体２の口部３に螺着した後、図６に示すように、塗布体３２を中栓体３１に対して上方に引き上げる。塗布体３２の中栓体３１に対する上昇は、被案内筒部６３の第２規制突部６３Ｂが案内筒部４４の第１規制突部４４Ｂに下方から係止することによって規制される。そして、栓部４５の上端部は、頂壁部６１の注出孔６１Ａから離脱し、注出孔６１Ａを開放する。また、内筒部６４の下端部は、案内筒部４４の下側部分の内周面と栓部４５の下端部の外周面との間の空間よりも上方に移動する。これにより、容器本体２の口部３の上端開口部から塗布体３２の頂壁部６１の注出孔６１Ａに至る流路が開放される。
【００３１】
この状態で容器本体２を圧搾などすると、容器本体２内の内容物は、口部３の上端開口部から案内筒部４４の下側部分、接続部４８及び栓部４５によって画成される空間内に流入する。そして、内容物は、周方向で隣り合う接続部４８間の隙間を通って、案内筒部４４の内周面または内筒部６４の内周面と栓部４５の外周面との間の空間に流入する。さらに、内容物は、注出孔６１Ａから外部に注出される。注出孔６１Ａから注出された内容物は、頂壁部６１の上面を塗布対象に当てることにより、塗布対象に塗り広げられる。
【００３２】
内容物の塗布を終了した後、図７に示すように、オーバーキャップ７を塗布具６に装着する。オーバーキャップ７を装着させていくと、保持筒部７６によって保持されている栓体５は、注出突部６１Ｂに当接し、塗布体３２を中栓体３１に対して押し下げる。これにより、栓部４５の上端部は、注出孔６１Ａに挿入されて注出孔６１Ａを閉塞する。また、内筒部６４の下端部は、案内筒部４４の下側部分の内周面と栓部４５の下端部の外周面との間に嵌め込まれる。これにより、容器本体２内から注出孔６１Ａに至る流路が閉塞される。もちろん、塗布体３２を中栓体３１に対して押し下げた後にオーバーキャップ７を装着してもよい。
【００３３】
オーバーキャップ７を塗布具６に被着すると、図８に示すように、保持凹部７７内に保持されている栓体５は、頂壁部６１の注出突部６１Ｂに当接または近接する。ここで、図９に示すように、頂壁部６１の上面に残留している内容物Ｘは、頂壁部６１に沿って栓体５の外周面と保持筒部７６の内周面との間の間隙に流入しようとすることがある（矢印Ａ）。しかし、保持筒部７６が栓体５を保持しているので、内容物は、オーバーキャップ７から外部に漏出しない。
以上のようにして、容器１を使用する。
【００３４】
以上、本実施形態にかかる容器１によれば、分離後の栓体５がオーバーキャップ７の保持筒部７６内に保持されるので、栓体５を処分する手間を排除して容器１の利便性を向上させることができる。また、保持凹部７７が上下方向に延在しているので、オーバーキャップ７の製造を複雑化させることなく保持凹部７７を形成することができる。
さらに、保持凹部７７を貫通孔とすることによって、非貫通の保持凹部の底壁の厚さ分だけ容器１の全高を抑制できる。
その上、自立しにくいチューブ状の容器本体２であっても、オーバーキャップ７を下にして倒立させることにより、容器１を陳列したり保管したりすることができる。
また、保持筒部７６を用いて栓体５を容器本体２から分離しており、栓体５を手で分離できるような寸法とする必要がないので、栓体５を小型化することができる。そのため、案内筒部４４の下側部分、接続部４８及び栓部４５によって画成される栓体５の収容空間を小さくすることができ、容器本体２の開栓後の保管時などにこの空間に残存する内容物の量を削減することができる。
【００３５】
なお、本発明は上記実施形態に限定されるものではなく、本発明の趣旨を逸脱しない範囲において種々の変更を加えることができる。
例えば、保持凹部は、貫通孔ではなく、例えば図１０及び図１１に示すように、底部を有する保持凹部であってもよい。
図１０及び図１１に示す容器１００のオーバーキャップ１０１は、天壁部１０２及び側壁部７２を有する。
天壁部１０２の中央部に形成された保持部１０３は、陥没筒部７４と、環状接続部７５と、有底円筒状の保持筒部１０４と、を有する。これら陥没筒部７４、環状接続部７５及び保持筒部１０４は、容器軸Ｏと同軸に配設されている。この保持筒部１０４によって、保持凹部１０５が画成されている。
保持筒部１０４の底部は、注出突部６１Ｂの上端に当接または近接している。また、保持筒部１０４の内周面には、上端から上下方向の中間部分まで延在する通気スリット１０４Ａが周方向に間隔をあけて複数形成されている。そのため、図１２に示すように、栓体５を保持筒部１０４内に差し込んだ際に、保持筒部１０４内の空気は、通気スリット１０４Ａを通して排出される（矢印Ｂ）。これにより、保持筒部１０４への栓体５の差込動作が安定する。
【００３６】
注出部材は、頂壁部が塗布対象に内容物を塗り広げるように形成された塗布体として構成されているが、中栓体に対して注出部材が昇降することによって注出孔を開閉するものであれば、塗布体に限らず、他の構成であってもよい。
中栓体は、容器本体の口部に螺着されているが、栓体を容器本体から分離するために少なくとも一度は取り外し可能となっていれば、他の構成によって口部に装着されていてもよい。
容器本体は、チューブ状容器に限らず、他の形状の容器であってもよい。このとき、容器本体は、単独で自立可能であってもよい。
栓体は、有頂円筒状のような中空の構造に限らず、円柱状など中実の構造であってもよい。
また、栓体は、保持筒部内に差し込んだ後に容器本体をオーバーキャップに対して回転させることによって容器本体から分離させているが、オーバーキャップとの間の相対的な動作によって容器本体から分離されればよく、例えば保持筒部内に差し込んだ後に容器本体をオーバーキャップに対して引っ張ることによって容器本体から分離されてもよい。
さらに、栓体は、オーバーキャップに対して上方から差し込まれているが、下方から差し込まれてもよい。ただし、栓体をオーバーキャップに対して上方から差し込むことにより、差込時にオーバーキャップの側壁部が容器本体に干渉することを抑制できる。また、栓体を分離した際に栓体の下端縁に生じることがあるバリがオーバーキャップの上側を向くので、栓体をオーバーキャップに対して上方から差し込むことにより、オーバーキャップを装着したときにこのバリが塗布体の頂壁部に干渉することを抑制できる。
保持凹部は、二重筒状の構造を有しているが、キャップ軸方向に延在していれば、他の構造を有していてもよい。例えば、保持筒部は、天壁部よりも下方に設けられているが、天壁部から上方に突出するように形成されてもよい。また、保持筒部は、天壁部の中央部に形成されている必要はなく、例えば天壁部の外周縁部など、天壁部の他の位置に形成されてもよい。さらに、保持凹部は、複数形成されていてもよい。
オーバーキャップは、中栓体に装着されているが、塗布体に装着されてもよく、容器本体に装着されてもよい。また、オーバーキャップのキャップ軸は、必ずしも容器軸と一致していなくてもよく、容器軸からずらされていても、傾けられていてもよい。
各構成部材の説明において、「円筒状」、「楕円状」などと記載しているが、三角形状や矩形状などの他の多角形状など、適宜他の形状であってもよい。
【産業上の利用可能性】
【００３７】
この発明によれば、利便性を向上させた容器に関して、産業上の利用可能性が認められる。
【符号の説明】
【００３８】
１，１００  容器、２  容器本体、３  口部、４  弱化部、５  栓体、７，１０１  オーバーキャップ、３１  中栓体、３２  塗布体（注出部材）、６１Ａ  注出孔、７１，１０２  天壁部、７７，１０５  保持凹部
【図１】
2020033092.tif 000003
【図２】
2020033092.tif 000004
【図３】
2020033092.tif 000005
【図４】
2020033092.tif 000006
【図５】
2020033092.tif 000007
【図６】
2020033092.tif 000008
【図７】
2020033092.tif 000009
【図８】
2020033092.tif 000010
【図９】
2020033092.tif 000011
【図１０】
2020033092.tif 000012
【図１１】
2020033092.tif 000013
【図１２】
2020033092.tif 000014